(57)【要約】【課題】ペットに穿かせたおむつの脱落やずれを確実に防止すると共に、ペットに与えるストレスを軽減することができるペット用サスペンダーを提供する。【解決手段】ペットの前脚を挿通する左右一対の脚掛け部１を設ける。各脚掛け部１に連続しペットの胸に係止する胸掛け部２を設ける。各脚掛け部１からペットの背中側に配される背中部３を設ける。該背中部３に着脱自在に連結される長さ調整自在な複数本のベルト体４を設ける。ベルト体４でおむつＰの背中側と腹側とを連結するように構成する。【選択図】  図１
2020124115.tif 000002
【特許請求の範囲】
【請求項１】
ペット用のおむつに装着するペット用サスペンダーにおいて、ペットの前脚を挿通する左右一対の脚掛け部と、各脚掛け部からペットの背中側に配される背中部と、該背中部に着脱自在に連結される長さ調整自在な複数本のベルト体と、を備え、該ベルト体でおむつの背中側と腹側とを連結するように構成したことを特徴とするペット用サスペンダー。
【請求項２】
前記ベルト体は前記背中部に装着されたバックルに着脱自在に連結され、前記おむつの背中側に連結する背部ベルトと、前記おむつの腹側に連結する左右一対の腹部ベルトと、で構成される請求項１記載のペット用サスペンダー。
【請求項３】
前記脚掛け部に、ペットの胸に係止する胸掛け部を設け、該胸掛け部と前記脚掛け部との境界部分に長さ調整具を装着した請求項１記載のペット用サスペンダー。
【請求項４】
前記背中部に長さ調整具を装着した請求項１記載のペット用サスペンダー。
【発明の詳細な説明】
【技術分野】
【０００１】
本発明は、犬や猫等のペットに穿かせたおむつが外れないように装着するペット用サスペンダーに関するものである。
【背景技術】
【０００２】
犬や猫等のペットでも、高齢化でぼけてしまったり、病気やけがなどで歩行が困難になったりすると、自主的なトイレの使用が困難になるので、ペット用おむつを穿かせて対応することがある。
【０００３】
例えば、特許文献１に記載のペット用おむつは、パンツ本体（おむつ）と、該パンツ本体に取り付けられるサスペンダーとを備えた構成である。このサスペンダーは、使用時のおむつがずれないように装着するもので、サスペンダーの構成は、ペットの首部に掛ける首掛け部と、この首掛け部から背中側でおむつに連結する背中側部と、首掛け部から腹側でおむつに連結する腹側部とを備えたものである。
【０００４】
また、特許文献２にも、おむつとサスペンダーとから成る動物用パンツが示されている。このサスペンダーは、ペットの首に巻き付ける首輪バンドと、この首輪バンドからペットの背中側でおむつに連結する後部バンドと、腹側でおむつに連結する前部バンドとを備えたものである。
【０００５】
一方、ペット用のおむつが一般に市販されており、このおむつに装着する各種のサスペンダーも市販されている。これら市販のサスペンダーの構成においても、特許文献１、２と同様に、ペットの首に掛けるループ状の首掛け部に連結バンドを連結する構成である。特に、市販のサスペンダーには、連結バンドを背中側のみに配置し、腹側の連結バンドは使用しない構成がある。
【先行技術文献】
【特許文献】
【０００６】
【特許文献１】特許第４４６７５１２号公報
【特許文献２】特開平９-１４０２８７号公報
【発明の概要】
【発明が解決しようとする課題】
【０００７】
ところが、いずれのサスペンダーも、首輪のようにペットの首に巻き付ける構成なので、おむつを連結するサスペンダーとして使用すると、ペットに多くのストレスを与える虞があった。
【０００８】
すなわち、ペットがおむつを穿かされると、これを嫌がって外そうとする場合がある。このとき、外そうとするおむつに加わる負荷がサスペンダーを介してペットの首部に加わることになる。そのため、首が締付けられた状態になり、ペットに多くのストレスを与えることになる。
【０００９】
しかも、特許文献１、２のようにペットの腹側にバンドを配置すると、おむつを外そうとするペットの足が、このバンドに引っかかってしまい、この足の指や爪を損傷する虞が生じるなどの危険性もある。
【００１０】
また、市販のサスペンダーにあるように、腹側に連結バンドが配置されない構成では、腹側の連結バンドに足を絡ませる虞はなくなるが、腹側のおむつがフリーな状態になるので、この腹側のおむつに位置ずれが生じる虞が高くなる。
【００１１】
犬や猫のように四つ足で歩く動物にとって、特におむつの腹側はずれやすい状態になり易い。しかも、腹側のおむつがずれてしまうと、排尿時におむつが局部から外れて尿が外に漏れ出る可能性が高くなり、確実なサポートが困難になる虞もある。
【００１２】
このように、従来のサスペンダーは、ペットに過重なストレスを与える虞があり、また、ストレスを軽減すると、確実なサポートが困難になる虞が生じる。
【００１３】
そこで、本発明は上述の課題を解消すべく創出されたもので、ペットに穿かせたおむつの脱落やずれを確実に防止すると共に、ペットに与えるストレスを軽減することができるペット用サスペンダーの提供を目的とするものである。
【課題を解決するための手段】
【００１４】
上述の目的を達成すべく本発明における第１の手段は、ペット用のおむつＰに装着するペット用サスペンダーにおいて、ペットの前脚を挿通する左右一対の脚掛け部１と、各脚掛け部１からペットの背中側に配される背中部３と、該背中部３に着脱自在に連結される長さ調整自在な複数本のベルト体４と、を備え、該ベルト体４でおむつＰの背中側と腹側とを連結するように構成したことにある。
【００１５】
本発明の第２の手段において、前記ベルト体４は前記背中部３に装着されたバックル５に着脱自在に連結され、前記おむつＰの背中側に連結する背部ベルト４Ａと、前記おむつＰの腹側に連結する左右一対の腹部ベルト４Ｂとで構成されるものである。
【００１６】
本発明の第３の手段は、前記脚掛け部１に、ペットの胸に係止する胸掛け部２を設け、該胸掛け部２と前記脚掛け部１との境界部分に長さ調整具１Ａを装着した構成にある。
【００１７】
本発明の第４の手段は、前記背中部３に長さ調整具３Ａを装着した構成にある。
【発明の効果】
【００１８】
本発明の請求項１のように、ペットの前脚を挿通する左右一対の脚掛け部１と、各脚掛け部１からペットの背中側に配される背中部３と、該背中部３に着脱自在に連結される複数本のベルト体４と、を備え、該ベルト体４でおむつＰの背中側と腹側とを支持するように構成したことにより、ペットがおむつＰを取り外そうとしておむつＰに荷重を加えたとしても、この荷重はペットの左右の前脚に分散されることになる。したがって、従来のように、おむつＰを取り外そうとする荷重がペットの首に集中することがなくなり、ペットのストレスを著しく軽減することができる。
【００１９】
しかも、背中部３に連結されるベルト体４でおむつＰの背中側と腹側とに連結する構成なので、おむつＰの背中側のベルト体４は勿論のこと、おむつＰの腹側に連結するベルト体４の位置においてもペットの足が届き難い位置になる。このため、腹側のベルト体４においてもペットの足がかかり難くなり、足の指や爪を損傷するなどの危険性が軽減した。
【００２０】
請求項２のごとく、ベルト体４は背中部３に装着されたバックル５に着脱自在に連結され、おむつＰの背中側に連結する背部ベルト４Ａと、おむつＰの腹側に連結する左右一対の腹部ベルト４Ｂと、で構成されているので、最低３カ所のベルト体４の連結により、おむつＰを確実に支持することが可能になる。
【００２１】
更に、ベルト体４をバックル５に着脱自在に連結する構造により、予めおむつＰにベルト体４を連結しておき、このおむつＰをペットに穿かせた後で各ベルト体４をバックル５に連結することができる。このような作業により、おむつＰと本発明サスペンダーとの連結作業を極めて容易に行うことが可能になった。
【００２２】
請求項３のごとく、脚掛け部１に、ペットの胸に係止する胸掛け部２を設け、該胸掛け部２と脚掛け部１との境界部分に長さ調整具１Ａを装着した構成により、ペットの品種や年齢等により異なる体型に応じて、脚掛け部１や胸掛け部２の長さを最適な位置に調整することができる。
【００２３】
請求項４のように、背中部３に長さ調整具３Ａを装着した構成によって、ペットの品種や年齢等により異なる体型に応じて、背中部３の長さを最適な位置に調整することができる。
【００２４】
このように、本発明によると、ペットに穿かせたおむつの脱落やずれを確実に防止すると共に、ペットに与えるストレスを軽減することができるなどといった当初の目的を達成した。
【図面の簡単な説明】
【００２５】
【図１】本発明の一実施例を示す斜視図である。
【図２】本発明の一実施例を示す平面図である。
【図３】本発明の長さ調整具の一実施例を示す斜視図である。
【発明を実施するための形態】
【００２６】
本発明は、ペットに穿かせたおむつＰが外れないように、ペットとおむつＰに装着するペット用のサスペンダーである。
【００２７】
本発明サスペンダーの主要構成として、脚掛け部１、背中部３、ベルト体４を備え、該ベルト体４でおむつＰの背中側と腹側とを支持するように構成したものである（図１参照）。
【００２８】
脚掛け部１は、ペットの前脚を挿通する左右一対の部位である。更に、背中部３は、脚掛け部１からペットの背中側に配される部位である（図１参照）。
【００２９】
図示例では、この脚掛け部１にペットの胸に係止する胸掛け部２を設けている。そして、脚掛け部１と胸掛け部２とを１本の紐状物で連続形成し、これら脚掛け部１と胸掛け部２との境界部分に長さ調整具１Ａを装着している。また、この紐状物に替えてベルト状の脚掛け部１や胸掛け部２を形成することも可能である。更に、脚掛け部１と胸掛け部２とを別の部材で形成することや、胸掛け部２や長さ調整具１Ａを使用しない構成も可能である。この場合、例えば、ペットの大きさに応じた各サイズの脚掛け部１を形成しておき、適したサイズの脚掛け部１を選択することが可能である。
【００３０】
更に図示例では、背中部３にも長さ調整具３Ａを装着している。図示の背中部３は、背中部３から脚掛け部１と胸掛け部２とに連続するループ状に形成している（図２参照）。そして、長さ調整具３Ａで背中部３の長さを調整すると、脚掛け部１や胸掛け部２の位置も相対的に調整できるように構成したものである。図示の長さ調整具３Ａは、脚掛け部１に設けた長さ調整具１Ａと同じ構成の長さ調整具３Ａを使用している。
【００３１】
また、この背中部３も、脚掛け部１や胸掛け部２と同様に、紐状物やベルト状物の使用が可能であり、脚掛け部１と別部材で形成することも可能である。更に、長さ調整具３Ａを使用せずに、ペットの大きさに応じた各サイズの背中部３を選択使用することも可能である。
【００３２】
図示の長さ調整具１Ａ（３Ａ）は、コードストッパー（紐ストッパー、コードエンドストッパーなど）と称する留具を利用している（図３参照）。また、この他、ループエンド（コードエンド）などと称する留具の利用も可能である。更に、紐状物に替えてベルト状物を使用した場合は、ベルトに応じた各種バックルを長さ調整具１Ａとして使用する。
【００３３】
一方、ベルト体４は、背中部３に着脱自在に連結される複数本のベルト状部材であり、長さ調整自在に形成されている。そして、このベルト体４でおむつＰの背中側と腹側とを連結するように構成している（図１参照）。このベルト体４の材質はゴム材、皮革材、布材など任意の材質を選択することができる。また、ベルト体４の本数も任意に変更することができる。
【００３４】
図示のベルト体４は背中部３に装着されたバックル５を介して背中部３に着脱自在に連結される（図２参照）。更に、このベルト体４は、おむつＰの背中側を連結支持する背部ベルト４Ａと、おむつＰの腹側を連結支持する左右一対の腹部ベルト４Ｂとで構成されている。そして、ベルト体４の端部に設けられたクリップ６を介しておむつＰに連結する。すなわち、このベルト体４は、サスペンダーに多く使用されているタイプのベルト体４を使用したものである。また、これらベルト体４やクリップ６の構造も任意に変更することができる。
【００３５】
図示のバックル５は、サイドリリースバックルと称する構造の合成樹脂製のバックル５を利用している（図２参照）。すなわち、一対の部材が連結自在に設けられたバックル構造で、一方の部材を背中部３に連結し、他方の部材をベルト体４に連結したものである。尚、このバックル５の構造や材質の変更は自由である。
【００３６】
本発明の使用方法は、まず、ペットの前脚に一対の脚掛け部１を装着する。この脚掛け部１に胸掛け部２を設けている場合は、長さ調整具１Ａにて脚掛け部１と胸掛け部２との位置を調整する。次に、背中側に背中部３を配置して背中部３の長さを調整する。一方、ベルト体４は先におむつＰに連結しておく。すなわち、背部ベルト４ＡをおむつＰの背中側に連結し、腹部ベルト４Ｂを腹側に連結する。
【００３７】
そして、ベルト体４を連結したおむつＰをペットに穿かせた後で、まず、腹部ベルト４Ｂを背中部３のバックル５に連結し、腹部ベルト４Ｂの長さを調整する。このとき、おむつＰの腹側の位置が局部を覆っていることを確認する。その後、背部ベルト４Ａをバックル５に連結し、この長さを調整すると本発明サスペンダーの装着が完了する。
【００３８】
おむつＰ使用後は、バックル５からベルト体４を外しておむつＰを交換する。このとき、脚掛け部１や背中部３の位置はそのままにしておくことで、交換したおむつＰの再装着が容易になる。
【００３９】
尚、本発明の実施例は図示例に限定されるものではない。脚掛け部１、胸掛け部２、背中部３、ベルト体４、バックル５等の形状や材質などは、本発明の要旨を変更しない範囲で自由に設計変更できるものである。
【符号の説明】
【００４０】
Ｐ  おむつ
１  脚掛け部
１Ａ  長さ調整具
２  胸掛け部
３  背中部
３Ａ  長さ調整具
４  ベルト体
４Ａ  背部ベルト
４Ｂ  腹部ベルト
５  バックル
６  クリップ
【図１】
2020124115.tif 000003
【図２】
2020124115.tif 000004
【図３】
2020124115.tif 000005
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
ペット用のおむつに装着するペット用サスペンダーにおいて、ペットの前脚を挿通する左右一対の脚掛け部と、各脚掛け部からペットの背中側に配される背中部と、該背中部に着脱自在に連結される長さ調整自在な複数本のベルト体とを備え、該ベルト体でおむつの背中側と腹側とを連結するように構成し、脚掛け部に、ペットの胸に係止する胸掛け部を設け、該胸掛け部と脚掛け部との境界部分に長さ調整具を装着したことを特徴とするペット用サスペンダー。
【請求項２】
前記ベルト体は前記背中部に装着されたバックルに着脱自在に連結され、前記おむつの背中側に連結する背部ベルトと、前記おむつの腹側に連結する左右一対の腹部ベルトと、で構成される請求項１記載のペット用サスペンダー。
【請求項３】
前記背中部に長さ調整具を装着した請求項１記載のペット用サスペンダー。
【手続補正２】
【補正対象書類名】明細書
【補正対象項目名】００１４
【補正方法】変更
【補正の内容】
【００１４】
上述の目的を達成すべく本発明における第１の手段は、ペット用のおむつＰに装着するペット用サスペンダーにおいて、ペットの前脚を挿通する左右一対の脚掛け部１と、各脚掛け部１からペットの背中側に配される背中部３と、該背中部３に着脱自在に連結される長さ調整自在な複数本のベルト体４とを備え、該ベルト体４でおむつＰの背中側と腹側とを連結するように構成し、脚掛け部１に、ペットの胸に係止する胸掛け部２を設け、該胸掛け部２と脚掛け部１との境界部分に長さ調整具１Ａを装着したことにある。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
本発明の第３の手段は、前記背中部３に長さ調整具３Ａを装着した構成にある。
【手続補正５】
【補正対象書類名】明細書
【補正対象項目名】００１８
【補正方法】変更
【補正の内容】
【００１８】
本発明の請求項１のように、ペットの前脚を挿通する左右一対の脚掛け部１と、各脚掛け部１からペットの背中側に配される背中部３と、該背中部３に着脱自在に連結される複数本のベルト体４とを備え、該ベルト体４でおむつＰの背中側と腹側とを支持するように構成したことにより、ペットがおむつＰを取り外そうとしておむつＰに荷重を加えたとしても、この荷重はペットの左右の前脚に分散されることになる。したがって、従来のように、おむつＰを取り外そうとする荷重がペットの首に集中することがなくなり、ペットのストレスを著しく軽減することができる。
また、脚掛け部１に、ペットの胸に係止する胸掛け部２を設け、該胸掛け部２と脚掛け部１との境界部分に長さ調整具１Ａを装着した構成により、ペットの品種や年齢等により異なる体型に応じて、脚掛け部１や胸掛け部２の長さを最適な位置に調整することができる。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
請求項３のように、背中部３に長さ調整具３Ａを装着した構成によって、ペットの品種や年齢等により異なる体型に応じて、背中部３の長さを最適な位置に調整することができる。